【事件の表示】
　特許第６６０７９９５号発明「折込用広告束紙揃え搬送装置，及び折込用広告束紙揃え搬送装置付き丁合機」の特許異議申立事件について，次のとおり決定する。
【結　論】
　特許第６６０７９９５号の特許請求の範囲を訂正請求書に添付された訂正特許請求の範囲のとおり，訂正後の請求項１，２について訂正することを認める。
　特許第６６０７９９５号の請求項１及び２に係る特許を維持する。
【理　由】
第１　手続の経緯
　特許第６６０７９９５号（以下，「本件特許」という。）の請求項１及び２に係る特許についての出願は，平成２４年１１月２日を出願日とする特願２０１２−２４２８７６号の一部を平成２９年３月２３日に新たな特許出願とした特願２０１７−５７９５３号の一部をさらに平成３０年５月８日に新たな特許出願とした特願２０１８−９００７３号であって，令和１年１１月１日に，その特許権の設定登録がされ，特許掲載公報が同月２０日に発行され，その後，その全請求項に係る特許に対し，特許異議申立人株式会社デュプロ（以下，「異議申立人」という。）により令和２年５月１９日に特許異議の申立てがされた。
　その後，当審において，令和２年８月３１日付けで取消理由が通知され，これに対して，特許権者から，同年１０月３０日付けで意見書の提出がなされ，その後さらに当審より同年１１月２４日付けで取消理由通知（決定の予告）が通知され，特許権者から令和３年１月２２日付けで意見書及び訂正請求書（以下，「本件訂正請求書」といい，本件訂正請求書によりなされる訂正の請求を「本件訂正請求」という。）が提出され，同年３月１１日に異議申立人より意見書が提出されたものである。
第２　訂正の適否について
　１　本件訂正請求の内容について
　本件訂正請求は，本件訂正請求書の記載からみて，その請求の趣旨を「特許第６６０７９９５号の特許請求の範囲を，本件訂正請求書に添付した訂正特許請求の範囲のとおり，訂正後の請求項１，２について訂正することを求める。」とするものであり，その内容はつぎのとおりのものである。
　（１）請求項１についての訂正事項
　ア　訂正事項１−１
　特許請求の範囲の請求項１に「丁合機の排出口」とあるのを，「丁合機
本体
　イ　訂正事項１−２
　特許請求の範囲の請求項１に「前記積上部に積上げた複数の前記折込用広告束を前記搬送機構により前記積上部から搬出する際に，前記叩き板を前記積上部から退避させた位置に停止させる手段と，」とあるのを，「前記積上部に積上げた複数の前記折込用広告束を前記搬送機構により前記積上部から搬出する際に，前記叩き板を前記積上部から退避させた位置に停止させる手段と，
前記積上部，前記搬送機構，及び前記紙揃え機構を支持する基台と，
　
　（２）請求項２についての訂正事項
　ア　訂正事項２−１
　特許請求の範囲の請求項２に「折込用広告紙を載せる複数の棚部と，前記棚部のそれぞれから折込用広告紙を給紙する給紙機構と，前記複数の棚部から給紙された複数枚の折込用広告紙を親紙で挟み込んで折込用広告束を作成する挟み機構と，前記折込用広告束を排出する排出口に対向して設けられ，」とあるのを，「折込用広告紙を載せる複数の棚部と，前記棚部のそれぞれから折込用広告紙を給紙する給紙機構と，前記複数の棚部から給紙された複数枚の折込用広告紙を親紙で挟み込んで折込用広告束を作成する挟み機構と，
前記折込用広告束を排出する排出口と，を備えた丁合機本体と，
記排
イ　訂正事項２−２
　特許請求の範囲の請求項２に「前記積上部に積上げた複数の前記折込用広告束を前記搬送機構により前記積上部から搬出する際に，前記叩き板を前記積上部から退避させた位置に停止させる手段と，」とあるのを，「前記積上部に積上げた複数の前記折込用広告束を前記搬送機構により前記積上部から搬出する際に，前記叩き板を前記積上部から退避させた位置に停止させる手段と，
前記積上部，前記搬送機構，及び前記紙揃え機構を支持する基台と，を備えた折込用広告束紙揃え搬送装置と，
　２　訂正の適否についての当審の判断
　（１）訂正事項１−１について
　ア　訂正の目的について
　訂正事項１−１は，「丁合機」を「丁合機本体」と訂正することで，排出口が丁合機本体に設けられていることを明確にするものであるから，当該訂正事項１は，特許法第１２０条の５第２項ただし書第３号に規定する明瞭でない記載の釈明を目的とするものである。
　イ　実質上特許請求の範囲を拡張し，又は変更する訂正ではないこと
　上記アに記載したとおり，訂正事項１−１は，排出口が丁合機本体に設けられていることを明確にするものであるから，実質上特許請求の範囲を拡張し，又は変更するものには該当せず，特許法第１２０条の５第９項で準用する第１２６条第６項に適合するものである。
　ウ　願書に添付した明細書，特許請求の範囲又は図面に記載した事項の範囲内の訂正であること（以下，願書に添付した明細書，特許請求の範囲又は図面をそれぞれ，「本件特許明細書」，「本件特許請求の範囲」，「本件特許図面」といい，これらをあわせて「本件特許明細書等」という。）
　本件特許明細書の段落【００１８】「丁合機本体１２は，縦長形状の筐体１６と，筐体１６の内部に設けられた複数の棚部１８と，各棚部１８に設けられた給紙機構２０と，筐体１６の内部に設けられた搬送路２２と，折込用広告紙の束を親紙で挟む挟み機構２４と，折込用広告束を排出する排出口２６と，主制御装置３０と，副制御装置３１と，入出力機構としてのモニタ３２と，主電動機とを備えている。」と記載されているように，本件特許明細書には，「排出口が丁合機本体に設けられている」ことが記載されており，本件特許図面の図２のからもこの点が見て取れる。
　よって，訂正事項１−１は，本件特許明細書等に記載した事項の範囲内の訂正であり，特許法第１２０条の５第９項で準用する第１２６条第５項に適合するものである。
　
　（２）訂正事項１−２
　ア　訂正の目的について
　訂正事項１−２は，「前記積上部，前記搬送機構，及び前記紙揃え機構を支持する基台と，を備えた」と，折込用広告束紙揃え搬送装置が，積上部，搬送機構，及び紙揃え機構を支持する基台を備えるものに限定するものであるから，当該訂正事項は，特許法第１２０条の５第２項ただし書第１号に規定する特許請求の範囲の減縮を目的とするものである。
　イ　実質上特許請求の範囲を拡張し，又は変更する訂正ではないこと
　上記アに記載したとおり，訂正事項１−２は，折込用広告束紙揃え搬送装置が，積上部，搬送機構，及び紙揃え機構を支持する基台を備えるものに限定するものであるから，実質上特許請求の範囲を拡張し，又は変更するものには該当せず，特許法第１２０条の５第９項で準用する第１２６条第６項に適合するものである。
　ウ　本件特許明細書等に記載した事項の範囲内の訂正であること
　本件特許明細書の段落【００４１】に「折込用広告束紙揃え搬送装置１０を図１に示す。折込用広告束紙揃え搬送装置１０は，図１に示すように積上部４２と，紙揃え機構８２と，搬送機構８４と，排紙スプリング昇降機構８６と，それらを支持する基台９０とを備えている。」と記載されているように，本件特許明細書には，「前記積上部，前記搬送機構，及び前記紙揃え機構を支持する基台と，を備えた」との構成が記載されており，本件特許図面の図１からもこの構成が見て取れる。
　よって，訂正事項１−２は，本件特許明細書等に記載した事項の範囲内の訂正であり，特許法第１２０条の５第９項で準用する第１２６条第５項に適合するものである。
　（３）訂正事項２−１
　ア　訂正の目的について
　訂正事項２−１は，棚部と給紙機構と挟み機構と排出口とを備えたものが丁合機本体であることを明確にするとともに，折込用広告束紙揃え搬送装置付き丁合機が丁合機本体と折込用広告束紙揃え搬送装置とを備えたことを明確にするものであり，特許法第１２０条の５第２項ただし書第３号に規定する明瞭でない記載の釈明を目的とするものである。
　イ　実質上特許請求の範囲を拡張し，又は変更する訂正ではないこと
　上記アに記載したとおり，訂正事項２−１は，棚部と給紙機構と挟み機構と排出口とを備えたものが丁合機本体であることを明確にするとともに，折込用広告束紙揃え搬送装置付き丁合機が丁合機本体と折込用広告束紙揃え搬送装置とを備えたことを明確にするものであり，特許法第１２０条の５第９項で準用する第１２６条第６項に適合するものである。
　ウ　本件特許明細書等に記載した事項の範囲内の訂正であること
　本件特許明細書の段落【００１８】「丁合機本体１２は，縦長形状の筐体１６と，筐体１６の内部に設けられた複数の棚部１８と，各棚部１８に設けられた給紙機構２０と，筐体１６の内部に設けられた搬送路２２と，折込用広告紙の束を親紙で挟む挟み機構２４と，折込用広告束を排出する排出口２６と，主制御装置３０と，副制御装置３１と，入出力機構としてのモニタ３２と，主電動機とを備えている。」と記載されているように，本件特許明細書には「丁合機本体」が「棚部と給紙機構と挟み機構と排出口とを備えたもの」であることが記載されており，本件特許図面の図２のからもこの点が見て取れる。
　そして，本件特許明細書の段落【００１７】には「折込用広告束紙揃え搬送装置１０を，図１に示す。折込用広告束紙揃え搬送装置付き丁合機１１を，図２に示す。折込用広告束紙揃え搬送装置付き丁合機１１を，図２に示す。折込用広告束紙揃え搬送装置付き丁合機１１は，丁合機本体１２と，折込用広告束搬送昇降機構１４とを備えている。折込用広告束紙揃え搬送装置１０は，折込用広告束搬送昇降機構１４に設けられている。」と記載され，同段落【００２３】には，「排出口２６は，丁合機本体１２の前面に設けられている。排出口２６には，折込用広告束を排出する排出機構３８が設けられている。排出機構３８には，排出用電動機が接続してあり，排出用電動機により折込用広告束が排出口２６から排出される。排出口２６の前方には，折込用広告束紙揃え搬送装置１０が設けられている。」と記載されているように，本件特許明細書には，「折込用広告束紙揃え搬送装置付き丁合機」が「丁合機本体と折込用広告束紙揃え搬送装置とを備えたものである」ことが記載されており，本件特許図面の図２からもこのことが見て取れる。
　よって，訂正事項２−１は，本件特許明細書等に記載した事項の範囲内の訂正であり，特許法第１２０条の５第９項で準用する第１２６条第５項に適合するものである。
　（４）訂正事項２−２
　ア　訂正の目的について
　訂正事項２−２は，「前記積上部，前記搬送機構，及び前記紙揃え機構を支持する基台と，を備えた折込用広告束紙揃え搬送装置と，」と，折込用広告束紙揃え搬送装置を，積上部，搬送機構，及び紙揃え機構を支持する基台を備えるものに限定するものであるから，特許法第１２０条の５第２項ただし書第１号に規定する特許請求の範囲の減縮を目的とするものである。
　また，折込用広告束紙揃え搬送装置が，積上部，搬送機構，停止させる手段，及び基台を備えることを明確にするとともに，折込用広告束紙揃え搬送装置付き丁合機が丁合機本体と折込用広告束紙揃え搬送装置とを備えたことを明確にするものであり，特許法第１２０条の５第２項ただし書第３号に規定する明瞭でない記載の釈明を目的とするものである。
　イ　実質上特許請求の範囲を拡張し，又は変更する訂正ではないこと
　上記アに記載したとおり，訂正事項２−２は，折込用広告束紙揃え搬送装置を，積上部，搬送機構，及び紙揃え機構を支持する基台を備えるものに限定するものであるから，実質上特許請求の範囲を拡張し，又は変更するものには該当せず，特許法第１２０条の５第９項で準用する第１２６条第６項に適合するものである。
　ウ　本件特許明細書等に記載した事項の範囲内の訂正であること
　本件特許明細書の段落【００４１】に「折込用広告束紙揃え搬送装置１０を図１に示す。折込用広告束紙揃え搬送装置１０は，図１に示すように積上部４２と，紙揃え機構８２と，搬送機構８４と，排紙スプリング昇降機構８６と，それらを支持する基台９０とを備えている。」と記載されているように，本件特許明細書には，「前記積上部，前記搬送機構，及び前記紙揃え機構を支持する基台と，を備えた」との構成が記載されており，本件特許図面の図１からもこの構成が見て取れる。
　よって，訂正事項２−２に係る「前記積上部，前記搬送機構，及び前記紙揃え機構を支持する基台と，を備えた折込用広告束紙揃え搬送装置」との構成は，本件特許明細書等に記載されているものといえる。
　そして，本件特許明細書の段落【００１８】には「丁合機本体１２は，縦長形状の筐体１６と，筐体１６の内部に設けられた複数の棚部１８と，各棚部１８に設けられた給紙機構２０と，筐体１６の内部に設けられた搬送路２２と，折込用広告紙の束を親紙で挟む挟み機構２４と，折込用広告束を排出する排出口２６と，主制御装置３０と，副制御装置３１と，入出力機構としてのモニタ３２と，主電動機とを備えている。」と記載されているように，本件特許明細書には，「折込用広告束紙揃え搬送装置付き丁合機が丁合機本体と折込用広告束紙揃え搬送装置とを備えた」ものであることが記載され，同段落【００２３】には，「排出口２６は，丁合機本体１２の前面に設けられている。排出口２６には，折込用広告束を排出する排出機構３８が設けられている。排出機構３８には，排出用電動機が接続してあり，排出用電動機により，折込用広告束が排出口２６から排出される。排出口２６の前方には，折込用広告束紙揃え搬送装置１０が設けられている。」と記載されているから，本件特許明細書には，「折込用広告束紙揃え搬送装置付き丁合機が丁合機本体と折込用広告束紙揃え搬送装置」とを備えたものであることが記載されており，本件特許図面の図２からもこの構成が見て取れる。
　よって，訂正事項２−２は，本件特許明細書等に記載した事項の範囲内の訂正であり，特許法第１２０条の５第９項で準用する第１２６条第５項に適合するものである。
　（５）独立特許要件について
　本件特許異議申立事件においては，請求項１及び請求項２が特許異議申立ての対象とされているので，訂正前の請求項１及び請求項２に係る訂正事項１−１ないし２−２に関して，特許法第１２０条の５第９項で読み替えて準用する特許法第１２６条第７項の独立特許要件は課されない。　
　３　小括
　上記のとおりであるから，本件訂正は，特許法第１２０条の５第２項但し書き第１号及び第３号を目的とするものであり，同条第９項で準用する第１２６条第５項及び第６項の規定に適合するので，本件特許請求の範囲を，本件訂正請求書に添付した訂正特許請求の範囲のとおり，訂正後の請求項１，２について訂正することを認める。
第３　本件訂正特許発明について　
　上記第２のとおり，本件訂正請求による訂正は認められるので，本件特許異議申立の対象である本件特許の請求項１及び２に係る発明（以下，それぞれ，「本件訂正特許発明１」，「本件訂正特許発明２」という。）は，つぎのとおりのものである。
「【請求項１】
　複数の棚部からそれぞれ折込用広告紙を給紙して前記複数枚の折込用広告紙を親紙で挟み込んで折込用広告束を作成する丁合機
本体
　複数の前記折込用広告束をその積み上げ方向と交差する第１の方向に移動させて前記積上部から搬出する搬送機構と，
　前記積上部に積上げられた複数の前記折込用広告束の前記第１の方向に沿った第１の側面を叩いて紙揃えする叩き板，および前記折込用広告束の前記第１の側面と反対の第２の側面に対向した側壁を有する紙揃え機構と，
　前記積上部に積上げた複数の前記折込用広告束を前記搬送機構により前記積上部から搬出する際に，前記叩き板を前記積上部から退避させた位置に停止させる手段と，
　
前記積上部，前記搬送機構，及び前記紙揃え機構を支持する基台と，
【請求項２】
　折込用広告紙を載せる複数の棚部と，
　前記棚部のそれぞれから折込用広告紙を給紙する給紙機構と，
　前記複数の棚部から給紙された複数枚の折込用広告紙を親紙で挟み込んで折込用広告束を作成する挟み機構と，
　
前記折込用広告束を排出する排出口と，を備えた丁合機本体と，
　前
記排
　複数の前記折込用広告束をその積み上げ方向と交差する第１の方向に移動させて前記積上部から搬出する搬送機構と，
　前記積上部に積上げられた複数の前記折込用広告束の前記第１の方向に沿った第１の側面を叩いて紙揃えする叩き板，および前記折込用広告束の前記第１の側面と反対の第２の側面に対向した側壁を有する紙揃え機構と，
　前記積上部に積上げた複数の前記折込用広告束を前記搬送機構により前記積上部から搬出する際に，前記叩き板を前記積上部から退避させた位置に停止させる手段と，
　
前記積上部，前記搬送機構，及び前記紙揃え機構を支持する基台と，を備えた折込用広告束紙揃え搬送装置と，
を備えたことを特徴とする折込用広告束紙揃え搬送装置付き丁合機。」
第４　特許異議申立理由及び取消理由（決定の予告）
　本件取消理由（決定の予告）により通知した取消理由は，特許異議申立人の異議申立理由と同じものであり，その概要は，つぎのとおりのものである。
　１　本件訂正特許発明１は，甲１−１発明及び甲３ないし甲１１号証に記載の周知技術に基づいて当業者が容易に発明をすることができたものであって，特許を受けることができないものであるから，本件請求項１に係る特許は，特許法第２９条の規定に違反してされたものであり，同法第１１３条第２号に該当し取り消されるべきものである。
　２　本件訂正特許発明２は，甲１−２発明及び甲３ないし甲１１号証に記載の周知技術に基づいて当業者が容易に発明をすることができたものであって，特許を受けることができないものであるから，本件請求項２に係る特許は，特許法第２９条の規定に違反してされたものであり，同法第１１３条第２号に該当し取り消されるべきものである。
第５　異議申立理由（取消理由（決定の予告）で通知した理由）についての当審の判断
　１　証拠の記載について
　（１）甲１号証について
　本件特許に係る出願の原出願日である平成２４年１１月２日（以下，単に「原出願日」という。）前に出願公開がされた甲１号証（特開２００５−３３００９７号公報）には，以下の事項が記載されている（下線は，当審で付した。以下同じ。）。
　ア「【０００４】
　また，近年では，折込みちらしの配達対象を全戸一律ではなく，家族向け（集合住宅所在地区），単身者向け（ワンルームマンション所在地区），転居者向け（新築集合住宅・新市街造成地区などの新規顧客開拓）などの区域毎に分けたいという，ちらし配布依頼先の多様な要望に応じる必要がある。このため，区域設定モードにより配達区域毎に設定数を決めて丁合し，区域分を丁合し終わるとブザーなどにより報知し，次の区域のための丁合に切換わるようにしている。この場合，折込みちらしセットが所定の部数に達すると丁合運転を停止させて，区域毎に割り当てられた配達員の仕分け作業が楽に行われるように配慮している。
また，折込みちらしの紙質がザラ紙からコート紙といったように幅広い特性を持っていることから，各給紙棚の給紙圧などの調整が必要となるため，丁合運転に先立って，あるいは丁合中でもテストモードにより給紙棚の給紙状態を各段毎にチェックできるようにしている。」
　イ「【実施例１】
【００２９】
　図１ないし図１０，図１３ないし図２７は本発明の実施例１を示す。図１および図２に示すように，
管理モニター付き丁合機１
両側に側板２，３を立設した下板４を有する
下板４の前側には，搬送ベルト２４および排紙ガイド６ａが設けられており，シート紙として丁合された折込みちらしＳの束が折込みちらしセット５となって載置される紙受けホッパー６が取付けられて
紙受けホッパー６の上方には折り紙用給紙棚７が折り段として設けられ，折り紙用給紙棚７の上方には，互いに前後に対向するように配置された上下複数段の給紙棚７ａ−７ｋおよび給紙棚８ａ−８ｋが取付けられて
【００３０】
　給紙棚７ａ−７ｋ，８ａ−８ｋの内側端部には，図２および図３に示すように捌き板９の上部に給紙部１０を配置している。給紙部１０は，図４に示すブラケット１０ａにより上下揺動可能に設けられ，タイミングベルト１１により連結された主動給紙ローラ１２および従動給紙ローラ１３を給紙ローラとして備えている。給紙部１０の主動給紙ローラ１２に隣接するようにして搬送ローラ１４，１５が上下に摺接する状態に配置されている。前後に対向する給紙部１０の間には，互いに摺接する一対の縦搬送ローラ１６，１７（図２参照）が給紙棚７ａ−７ｋ，８ａ−８ｋの段数に対応して設けられている。
【００３１】
　
給紙棚７ａ−７ｋ，８ａ−８ｋに積載された折込みちらしＳは，図２および図３に示すように従動給紙ローラ１３により送り出されて主動給紙ローラ１２と捌き板９とに挟まれ，搬送ローラ１４，１５の間から搬送経路に案内され
搬送経路に案内された折込みちらしＳは，縦送り装置を構成する縦搬送ローラ１６，１７を介して下方に送られて最下段のシート折り部１８に至る
折り紙用給紙棚７から給送されて折りボックス１９ａに至った折り紙Ｇは，上下動する折込み用ナイフ１９により中央部が下方に撓むように折られ
撓みにより二つ折り状態になった折り紙Ｇには，各給紙棚７ａ−７ｋ，８ａ−８ｋから給送されて束になった折込みちらしＳが折り込まれて折りローラ２０，２１により挟み込まれ
折りローラ２０，２１に挟み込まれた折込みちらしセット５は，駆動ローラ２２，２３により駆動される搬送ベルト２４で運ばれて，図５に示す紙受けホッパー６に排紙ガイド６ａに案内されながら放り込まれるように排出される
　ウ「【００４３】
　図１１は，丁合機１に搬送昇降装置５９が付設された例を示す。
搬送昇降装置５９は
排紙ガイド６ａの引き上げ装置５９ａを内蔵した踏箱６０が設けられたベルトコンベヤー６１および渡受け部６２を左右に有し
渡受け部６２には駆動柱部６３が立設され
搬送昇降装置５９を付設する場合
紙受けホッパー６が置かれた位置にベルトコンベヤー６１を配置する
ベルトコンベヤー６１上の折込みちらしセット５は，その積載高さが所定（例えば１５ｃｍ）になると，ホッパー満載スイッチ６６が紙受部満載として検知し
丁合機１の丁合動作を停止し，渡受け部６２に運び渡されて紙受台６５上に置かれる
　
　エ　図２
　
　オ　図１１
　カ　上記ウ及びオの図１１によれば，搬送昇降装置５９が付設されている場合には，図２における「紙受けホッパー６」が置かれた位置には，排紙ガイド６ａの引き上げ装置５９ａを内蔵した踏箱６０が設けられたベルトコンベヤー６１が配置され，折込みちらしセット５は，駆動ローラ２２，２３により駆動される搬送ベルト２４で運ばれて，排紙ガイド６ａに案内されながら放り込まれるようにベルトコンベヤー６１の上に排出されることが理解できる。
　そして，折り込みちらしセット５が，ベルトコンベヤー６１上に排出される際には，折り込みちらしセット５は，踏箱６０に当たってベルトコンベヤー６１上に積み重ねられることは，上記の記載から自明のことと認められる。
　
　キ　上記のアないしカによれば，甲１号証には，次の発明（以下，「甲１−１発明」という。）が記載されているものと認められる。
　「両側に側板２，３を立設した下板４を有し，下板４の前側には，搬送ベルト２４および排紙ガイド６ａが設けられ，シート紙として丁合された折込みちらしの束が折込みちらしセットとなって排出される紙受けホッパー６が取付けられ，紙受けホッパー６の上方には折り紙用給紙棚７が折り段として設けられ，折り紙用給紙棚７の上方には，互いに前後に対向するように配置された上下複数段の給紙棚７ａ−７ｋおよび給紙棚８ａ−８ｋが取付けられている管理モニター付き丁合機１であって，給紙棚７ａ−７ｋ，８ａ−８ｋに積載された折込みちらしＳは，搬送経路に案内され，搬送経路に案内された折込みちらしＳは，縦送り装置を構成する縦搬送ローラ１６，１７を介して下方に送られて最下段のシート折り部１８に至り，折り紙用給紙棚７から給送されて折りボックス１９ａに至った折り紙Ｇは，上下動する折込み用ナイフ１９により中央部が下方に撓むように折られ，二つ折り状態になった折り紙Ｇには，束になった折込みちらしＳが折り込まれて折りローラ２０，２１により挟み込まれ，折りローラ２０，２１に挟み込まれた折込みちらしセット５は，駆動ローラ２２，２３により駆動される搬送ベルト２４で運ばれて，紙受けホッパー６に放り込まれるように排出される管理モニター付き丁合機に付設される搬送昇降装置５９であって，搬送昇降装置５９は，排紙ガイド６ａの引き上げ装置５９ａを内蔵した踏箱６０が設けられたベルトコンベヤー６１及び渡受け部６２を左右に有し，渡受け部６２には駆動柱部６３が立設され，駆動柱部６３には紙受け台６５を支持する左右一対のフォーク６４が上下方向に移動可能に設けられており，折り込みちらしセット５は，排紙ガイド６ａに案内されながら放り込まれるように排出されて踏箱６０に当たってベルトコンベヤー６１上に積み重ねられ，ベルトコンベヤー６１は紙受けホッパー６が置かれる位置に配置されており，ベルトコンベヤー６１上に積み重ねられた折込みちらしセット５の積載高さが所定になると，ホッパー満載スイッチ６６が紙受部満載として検知し，丁合機１の丁合動作を停止し，折り込みちらしセット５は，渡受け部６２に運び渡されて紙受台６５上に置かれるように構成された，搬送昇降装置５９」
　ク　また，同様に甲１号証には，つぎの発明（「甲１−２発明」という。）が記載されているものと認められる。
　「両側に側板２，３を立設した下板４を有し，下板４の前側には，搬送ベルト２４および排紙ガイド６ａが設けられ，シート紙として丁合された折込みちらしの束が折込みちらしセットとなって排出される排紙ガイド６ａの引き上げ装置５９ａを内蔵した踏箱６０が設けられたベルトコンベヤー６１が取り付けられ，ベルトコンベヤー６１の上方には折り紙用給紙棚７が折り段として設けられ，折り紙用給紙棚７の上方には，互いに前後に対向するように配置された上下複数段の給紙棚７ａ−７ｋおよび給紙棚８ａ−８ｋが取付けられている管理モニター付き丁合機１であって，給紙棚７ａ−７ｋ，８ａ−８ｋに積載された折込みちらしＳは，搬送経路に案内され，搬送経路に案内された折込みちらしＳは，縦送り装置を構成する縦搬送ローラ１６，１７を介して下方に送られて最下段のシート折り部１８に至り，折り紙用給紙棚７から給送されて折りボックス１９ａに至った折り紙Ｇは，上下動する折込み用ナイフ１９により中央部が下方に撓むように折られ，二つ折り状態になった折り紙Ｇには，束になった折込みちらしＳが折り込まれて折りローラ２０，２１により挟み込まれ，折りローラ２０，２１に挟み込まれた折込みちらしセット５は，駆動ローラ２２，２３により駆動される搬送ベルト２４で運ばれて，ベルトコンベヤー６１に放り込まれるように排出される管理モニター付き丁合機であって，折込みちらしセット５は，排紙ガイド６ａに案内されながら放り込まれるように排出されて踏箱６０に当たってベルトコンベヤー６１上に積み重ねられ，ベルトコンベヤー６１上に積み重ねられた折込みちらしセット５の積載高さが所定になると，ホッパー満載スイッチ６６が紙受部満載として検知し，丁合機１の丁合動作を停止し，折り込みちらしセット５は，渡受け部６２に運び渡されて紙受台６５上に置かれるように構成された丁合機」
　（２）甲２号証について
　本件特許に係る出願の原出願日前に出願公開がされた甲２号証（特開２００１−６３９０４号公報）には，以下の事項が記載されている。
　ア　「【０００３】そして上記紙受装置としては，図７に示すように丁合機１の紙排出口２の下部側方に紙受台３を設け，この紙受台３の前端部に複数枚（一般に３枚）の背板４ａ〜４ｃを間隔５をおいて並設固着し，先端部が間隔５部を貫通して背板４（背板４ａ〜４ｃの総称）の外側に延びる帯板状の一対のガイド６，６の基部を，丁合機１のフレーム７に水平軸線８のまわりに揺動自在に支持した紙受装置９が用いられている。上記のガイド６，６は，丁合機１の搬出コンベヤ１０により矢印Ｘで示すように横向きに高速で排出される丁合ずみのちらしｃを案内して紙受台３上へ集積させるためのものである。」
　イ　「【０００４】ところが上記の紙受装置９においては，排出されるちらしｃが短時間間隔（たとえば１秒おき）で高速でガイド６に衝突するためガイド６がはね上り，またちらしｃは背板４に衝突してはね返るため，これらを抑制するためにガイド６の先端部寄りの位置におもり１１をねじ止めなどにより取付けて用いている。しかし左右のガイド６，６は別個にはね上りを繰返す（振動する）ため，ちらしｃの左右でガイドに当るタイミングがずれて，集積状態でのちらしｃの先端縁が揃わなかったり左右にずれた不揃状態となることが多く，またおもり１１は背板４に当ったちらしｃのはね返り防止用を兼ねているが，上記のガイド６のはね上りを抑制するためにおもり１１を重くすると，ちらしｃが軽いものである場合は，おもり１１によって押付けられたガイド６の先端部下面との摩擦でちらしｃが背板４まで到達せず，ちらしｃの先端部が前後にずれる不揃いをひきおこしていた。」
　（３）甲３号証について
　本件特許に係る出願の原出願日前に頒布された刊行物である甲３号証（実願昭５８−３３４９号（実開昭５９−１０８７５９号公報）のマイクロフィルム）には，以下の事項が記載されている。　
　ア　「シングリングコンベヤ（４）は駆動プーリ（１２）で駆動され，シングリングされた段ボールシート（５）を横出しコンベヤ（７）上に送り出す。」（４頁１５〜１７行）
　イ　「シート揃え板（８）の裏面に設けられたミニシリンダ（１３）の作動軸（１４）が突き出た位置にあるように電磁弁をセットしたとき，コロ（１５）はばね（１９）の引張力によりカム（１７）の受け面に圧接して，軸（１０）を支点にシート揃え板（８）がカム（１７）の形状に対応した，押し，引き動作を行ない，シングリングコンベヤ（４）から送り出され，前当板（６）に当って横出しコンベヤ上に落下するシート（１１）を揃える。」（５頁１０〜１８行）
　ウ　「また所定の積み上げ枚数に達した横出しコンベヤ（７）上のシート（１１）を搬送するとき，シート揃え板（８）をシート（１１）に接触しない位置に保持するために，電磁弁でミニシリンダ（１３）の作動軸（１４）を引き位置にセットすれば，コロ（１５）はカム（１７）の回転域から外れ，シート揃え板（８）は，ばね（１９）の引張力によりカム（１７）の回転とは関係なく，（８ａ）の位置に保持される。」（５頁１９行〜６頁５行）
　エ　第２図
　　
　（４）甲４号証について
　本件特許に係る出願の原出願日前に頒布された刊行物である甲４号証（実願昭５８−６２２２７号（実開昭５９−１７０５５４号公報）のマイクロフィルム）には，以下の事項が記載されている。　
　ア　「段ボールシート５は横出しコンベヤ７上に送り出される。横出しコンベヤ７の両側には前当板６及び軸１０の軸心を支点にして押し引き動作するシート揃え板８がある。」（８頁８〜１１行）
　イ　「ゲート開閉用シリンダ１３が作動してゲート１２を開くとき，軸２７に固着したレバー４１もゲート１２と同角度だけ回動し，ピン４０，リンク３９を介してリンク３３のピン３６に，圧縮ばね３８の押し下げ力が加わり，リンク３３の切り欠き部３５に偏心ピン３４が嵌入圧接し，偏心ピン３４の円運動によりシート揃え板８は軸１０を支点として押し引き動作する。」（９頁２〜１０行）
　ウ　「また第５図において，段ボールシート１１が所定枚数に達したとき，ゲート開閉シリンダ１３が作動し，作動軸３１が押し動作してゲート１２を閉じるが，軸２７の回動によりレバー４１も回動し，シート揃え板８はばね４４に引張られ，軸１０を支点として後傾し，シ−ト１１の搬出の妨げにならない位置に保持される。」（９頁１１〜２０行）
　エ　第５図
　（５）甲５号証について
　本件特許に係る出願の原出願日前に頒布された刊行物である甲５号証（特公昭４９−１８３７９号公報）には，以下の事項が記載されている。
　ア　「本発明は，コンベア等で一枚ずつ搬送される比較的重量のあるフアイバー・ボード，合成樹脂等を一板ずつ受け取つて積載する板状物の積取装置に関する。」（１欄１６〜１９行）
　イ　「積取られるために供給コンベア（図示せず）によつて前工程より送り込まれたフアイバー・ボート（「ボート」は「ボード」の誤記と認める。），合成樹脂板等の板状物は，この供給コンベアの終端部に枢着された昇降コンベア１に移行され，順次該板状物の供給方向と直交する方向に配設されたキャタピラ・コンベアー６に積取られる。板状物４が積取られると，ストッパ−５，１２及び１２’に対応する押板装置２，１０及び１０’がそれぞれのシリンダー３，１１及び１１’の駆動で板状物４を押し揃え，木口を整列せしめる。押板装置２，１０及び１０’の押打ちは積取られた各々の板状物毎に行われるが，該押板装置の駆動は例えば昇降コンベア１の搬送終端部にリミットスイッチを設けて板状物の後端が通過したのを検知し，各々のシリンダ３，１１及び１１’を作動する様に作られる。」（２欄２６行〜３欄４行）
　ウ　「昇降コンベア１は，板状物４がキヤタピラコンベア６上に順次積取られるに従って次第に上昇し，所定枚数の積取が完了するとその上限に設置されたリミットスイッチの如き検出機に接触して，降下される。これと同時にストッパー１２及び１２’がその上方を軸として積取られた板状物４から離れる様に９０°はね上げられ，そして板状物４の搬出路を開く。このストッパー１２，１２’のはね上げに引続き，キヤタピラコンベア６上の板状物４は，該キヤタピラコンベア６とキヤタピラコンベア１３の駆動によって，コンベア１３上に移行される。前記コンベア６の終端部には例えばリミットスイッチが設けられ，コンベア６上から完全にコンベア１３へ板状物が移行されたことを感知した後，コンベア６の駆動が停止される。コンベア１３３は同様に駆動されているキヤタピラコンベア１４に積取板状物を移送する。」（３欄５〜２１行）
　エ　第２図
　（６）甲６号証について
　本件特許に係る出願の原出願日前に頒布された刊行物である甲６号証（実願昭５０−５０９４９号（実開昭５１−１３２００３号公報）のマイクロフィルム）には，以下の事項が記載されている。
　ア　「本考案は印刷された印刷紙等を次工程の製本作業等のために紙揃えを機械的にできるように構成した紙揃え機に関するものである。」（１頁最下行〜２頁２行）
　イ　「さらに定盤側辺（４）（５）に合致する台板側辺（７）（８）上に給紙された紙を受け止める当て板（１３）（１４）を設ける。」（３頁４〜６行）
　ウ　「一方台板（９）（１０）面には給紙された紙を揃える紙揃え板（１７）（１８）を台板のない定盤上に設ける。この紙揃え板（１７）（１８）は紙揃え板を働かせるピストンアーム軸（１９）上に固定されたピストンアーム（２０）（２１）の先端に取付けられた支持軸（２２）（２３）上に設けられ，支持軸（２２）（２３）には紙揃え板（１７）（１８）が紙そして台板をバツテングした場合の衝撃を緩衝するためのスプリング（２４）（２５）を遊着している。さらに紙揃え板（１７）（１８）の下面には，定盤と摩擦をさけるためのベアリングローラー（２６）を取付けている。また紙揃え板（１７）と紙揃え板（１８）はピストンアーム軸（１９）にピストンアーム（２０）（２１）を介して９０度以上の角度をもつて固定され第２図に示すごとく，台板の側辺（１０）に紙揃え板（１８）が接しているときは台板の側辺（９）側の紙揃え板（１７）は側辺（９）からは離れているように紙揃え板（１７）と（１８）とは位置づけられている。」（３頁１６行〜４頁１１行）
　エ　「以上のように構成された本考案の紙揃え機は，例えば予め給紙ガイドステシヨンに平行に設置した印刷機の排紙コンベヤーより給紙ガイドステシヨンに紙を連続的に供給すると，コンベヤーから給紙された紙はステシヨンのガイドローラー上を通り，円筒管より吹出されるエアーにより押されながらガイド板を通って，予め所定の角度に傾斜された定盤上の当て板に向って連続して一枚一枚給紙されて台板上に積み重ねられる。この間に当て板に対向して設けられた紙揃え板によって各各の当て板の方向に紙が寄せられて正しく各紙が揃えられながら積み重ねられる。」（５頁１６行〜６頁７行）
　オ　第１図
　
　（７）甲７号証について
　　本件特許に係る出願の原出願日前に頒布された刊行物である甲７号証（実公昭４９−１５１１２号公報）には，以下の事項が記載されている。
　ア　「第１の搬送帯１により搬送された新聞ａは，計数装置２により計数されながら連続的に矢印Ａ方向に搬送され，更に第２の搬送帯３により矢印Ａ方向に搬送され，第２の搬送帯３の搬出端より落下して当板５ａにぶつかりシヤツタ５上に集積する。また，揃え機構６の回転軸６ｅが回転すると，この軸６ｅに固定されたカム６ｆと当接しているカムローラ６ｄを介してアーム６ｂが軸６ｅを支点として回動し，このアーム６ｂの自由端に固定された振動板６ｃが新聞ａの進行方向（Ａ方向）に振動するので，第２の搬送帯３の搬出端より落下する新聞ａはその後端が当板５ａ側に押しつけて揃えられ，また，不揃いのまゝシヤツタ５上に集積された新聞ａもその上部に他の新聞が多く集積しないうちに後端を当板５ａ側に押しつけられる容易にスライドして揃えられる。」（２欄３７行〜３欄１４行）
　イ　「また，搬送する板条片として新聞ａについて述べたが，板条片は新聞に限らず，印刷物，その他の紙片，段ボールシート，ハートボード及びベニヤ板などを含むこと勿論である。」（３欄３５行〜４欄３行）
　ウ　第２図
　（８）甲８号証について
　本件特許に係る出願の原出願日前に出願公開がされた甲８号証（特開２００２−２４９２７４号公報）には，以下の事項が記載されている。
　ア「【０００１】
【発明の属する技術分野】本発明は，搬送系を介して順次投入されるシート体を集積位置に所定の枚数ずつ集積するためのシート体の集積方法および装置に関する。」
　イ「【００１６】揃えガイド機構１６は，シート体１４の投入方向一端側に配設される板状の第１ガイド部材２８ａ，２８ｂと，前記シート体１４の投入方向他端側に配設される板状の第２ガイド部材３０ａ，３０ｂとを備える。第２ガイド部材３０ａ，３０ｂは，矢印Ｂ方向に所定の間隔だけ離間して配置される固定ガイドを構成する一方，第１ガイド部材２８ａ，２８ｂは，前記第２ガイド部材３０ａ，３０ｂに対向して配置されるとともに，第１駆動手段３２ａ，３２ｂを介し前記第２ガイド部材３０ａ，３０ｂに対して進退可能である。」
　ウ「【００２５】そこで，コンベア１２を介して矢印Ｃ方向に連続搬送されるシート体１４は，このコンベア１２の先端から集積位置Ｐに落下供給され，下面ガイド１８上に連続的に集積される。その際，例えば，１枚のシート体１４が下面ガイド１８上に集積される毎に，揃えガイド機構１６が駆動される。なお，揃えガイド機構１６の駆動頻度は，シート体１４が１枚集積される毎に，０．０１回〜２回に設定される。」
　エ　図２
　（９）甲９号証について
　本件特許に係る出願の原出願日前に頒布された刊行物である甲９号証（米国特許第３７１２４８６号明細書）には，以下の事項が記載されている。（以下の摘示の翻訳文は当審で作成した。）　
　ア　「本発明は，積み重ね装置の分野であり，より具体的には，段ボール箱のブランクまたはシートによって例示されるような，比較的剛性のある材料のシートの積み重ねの形成を対象とする。」（１欄１１〜１５行）
　イ　「プッシャ一部材５１は，複数の直立したプッシャーフィンガー７４を担持し，フィンガーは，ボルト締めされるか，そうでなければ部材５１に固定される。フィンガーは，駆動ローラ２４の第二あるように配置される。」（２欄１６〜１９行）
　ウ　「図５に開示された一点鎖線と実線の位置の比較から最もよく理解されるように，ロッカーアームレバー６１によってプッシャー５１に付与される往復運動は，プッシャーが，その外側または伸長ストロークで，駆動ローラー２４の前縁を越えて伸長し，引き込みストロークで，前記ローラー（実線）の後ろの位置に引き込まれることを可能にするのに十分な大きさであることが理解される。」（６欄２０〜２７行）
　エ　「ローラ２４と２５との間のニップを十分に通過した後，シートの後縁または末端は，秋期的に移動する往復バー５１によって係合される一に落下する。往復バーは，その前進ストローク，すなわち，整列バー１４に向かうそのストロークで，バーに対するボードの整列を支援する。」（８欄５〜１９行）
　オ　「したがって，最後のシートがスタックに供給された後，往復バーは，シートまたはブランクのスタックの末端からかなりの距離を置いて配置され（図３参照），これにより，スタックは，バーが，シートの後端面に押し付けられるか，または，そこからわずかな距離しか空けられていない場合に経験される，干渉を排除して，蓄積テーブルから除去され得ることが理解されるであろう。」（９欄９〜１６行）
　カ　図３
　
　キ　図５
　
　（１０）甲１０号証
　本件特許に係る出願の原出願日前に頒布された刊行物である甲１０号証（米国特許第３０７９１５０号明細書）には，以下の事項が記載されている。（以下の摘示の翻訳文は，当審で作成した。）
　ア　「シートが，コンベア１１によって，連続的に前進させられると，常開ゲート１２を通過して，排出または放出され，その先端は，振動する止め板７１に突き当たり，止め板７１は，支持板１９に向ってシートを叩打し，整然としたスタックを形成する。」（３欄４５〜４９行）
　イ　「スタックが，所定の高さに到達すると，ゲート１２は，閉鎖され，シートのコンベア１３への更なる排出が停止し，その後直ちに，ローラー１８が，駆動させられ，同時に，エアシリンダ７６が，止め板７１を，図２に示される後退位置に後退させるようにセットされて，止め板は，シートのスタックの先端Ｌから完全に間隔を空けられる。」（３欄５０〜５６行）
　ウ　「移送コンベア１３のローラー１８の駆動で，シートのスタックは，移送コンベア１１の排出端から，好適な受け取りコンベア（不図示）へ移動させられ，そこから，このように形成されたスタックの均一性ゆえに，後続処理の作業者によって，容易に取り除かれる。」（３欄５７〜６３行）
　エ　図２
　
　（１１）甲１１号証について
　本件特許に係る出願の原出願日前に出願公開がされた甲１１号証（特開２００７−２５４００６号公報）には，以下の事項が記載されている。
　ア「【００４９】
突き当てパッド１６Ｂ，プッシャ１６Ｃ，１６Ｄ，１６Ｅは，同一の高さに設けられ，また，昇降可能である。更に，プッシャ１６Ｄおよび１６Ｅは，平版印刷版束Ｐの幅に応じて互いに近接，離間できる。同様に，プッシャ１６Ｃは，平版印刷版束Ｐの長さに応じて突き当てパッド１６Ｂとの距離を調節できる。突き当てパッド１６Ｂ，プッシャ１６Ｃ，１６Ｄ，１６Ｅは，通常は，平版印刷版束Ｐの通過に支承（当審注：「支承」は，「支障」の誤記と認める。）がないように上昇した状態にあり，平版印刷版束Ｐの寸法ずれを修正するときだけ，ローラコンベア１６Ａ上に下降する。」
　イ　図５
　２　当審の判断
　（１）本件訂正特許発明１について
　ア　本件訂正特許発明１と甲１−１発明との対比
　本件訂正特許発明１と甲１−１発明とを対比する。
　（ア）甲１−１発明の「上下複数段の給紙棚７ａ−７ｋ及び給紙棚８ａ−８ｋ」，「折込みちらしＳ」，「折り紙Ｇ」，「二つ折り状態になった折り紙Ｇ」に「束になった折り込みちらしＳが折り込まれ」た「折り込みちらしセット５」，「管理モニター付き丁合機１」は，それぞれ，本件訂正特許発明１の「複数の棚部」，「折込用広告紙」，「親紙」，「複数枚の折込用広告紙を親紙で挟み込ん」だ「折り込み用広告束」，「丁合機本体」に相当する。
　（イ）甲１−１発明においては，「給紙棚７ａ−７ｋ，８ａ−８ｋに積載された折込みちらしＳは，搬送経路に案内され，搬送経路に案内された折込みちらしＳは，縦送り装置を構成する縦搬送ローラ１６，１７を介して下方に送られて最下段のシート折り部１８に至り，折り紙用給紙棚７から給送されて折りボックス１９ａに至った折り紙Ｇは，上下動する折込み用ナイフ１９により中央部が下方に撓むように折られ，二つ折り状態になった折り紙Ｇには，束になった折込みちらしＳが折り込まれて折りローラ２０，２１により挟み込まれ，折りローラ２０，２１に挟み込まれた折込みちらしセット５は，駆動ローラ２２，２３により駆動される搬送ベルト２４で運ばれて，排紙ガイド６ａの引き上げ装置５９ａを内蔵した踏箱６０が設けられたベルトコンベヤー６１に排紙ガイド６ａに案内されながら放り込まれるように排出されて踏箱６０に当たってベルトコンベヤー６１上に積み重ねられ」るものであるところ，甲１−１発明は，「複数の」「給紙棚」に積載された「折り込みちらしＳ」がそれぞれ縦送り装置に給紙されて，「複数枚の折込用広告紙を親紙で挟み込ん」だ「折り込み用広告束」を作成するものといえるから，本件訂正特許発明１において特定される「丁合機本体」と甲１−１発明において特定される「管理モニター付き丁合機１」とは，「複数の棚部からそれぞれ折込用広告紙を給紙して前記複数枚の折込用広告紙を親紙で挟み込んで折込用広告束を作成する丁合機本体」である点で相当するものといえる。
　（ウ）甲１−１発明の「排紙ガイド６ａの引き上げ装置５９ａを内蔵した踏箱６０が設けられた」「ベルトコンベヤー６１」には，「折込みちらしセット５」が「搬送ベルト２４で運ばれて，排紙ガイド６ａの引き上げ装置５９ａを内蔵した踏箱６０が設けられたベルトコンベヤー６１」に「排紙ガイド６ａに案内されながら放り込まれるように排出されて踏箱６０に当たってベルトコンベヤー６１上に積み重ねられ」るのであるから，甲１−１発明の「排紙ガイド６ａの引き上げ装置５９ａを内蔵した踏箱６０が設けられたベルトコンベヤー６１」は，本件訂正特許発明１の「「前記排出口から排出された」「折り込み用広告束を積み上げる積上部」に相当する。
　（エ）また，甲１−１発明の「ベルトコンベヤー６１」は，「ベルトコンベヤー６１上に積み重ねられた折込みちらしセット５の積載高さが所定になると，ホッパー満載スイッチ６６が紙受部満載として検知し，丁合機１の丁合動作を停止し，搬送昇降装置５９の渡受け部６２に運び渡されて紙受台６５上に置かれる」よう構成されているから，本件訂正特許発明１の「丁合機本体の排出口に接続され」た「複数の前記折込用広告束をその積み上げ方向と交差する第１の方向に移動させて前記積上部から搬出する搬送機構」である点においても相当するものといえる。
　（オ）そして，ベルトコンベヤー６１を含む搬送昇降装置５９は，丁合機に付設されるものであり，ベルトコンベヤー６１は，「紙受けホッパー６」が置かれた位置に配置されて，丁合機から排出される「折り込み用広告束」を積み上げるものであるから，丁合機本体の排出口に接続されているものといえる。
　（カ）そして，本件訂正特許発明１の「折込用広告束紙揃え搬送装置」と甲１−１発明の「搬送昇降装置５９」とは，「折込用広告束」の「積上部」と「搬送機構」を備えるものである点で作用機能が共通するものであるから，両者は，「折込用広告束搬送装置」と言い得る点で共通するものといえる。
　（キ）以上のことからすると，本件訂正特許発明１と甲１−１発明とはつぎの一致点で一致し，各相違点で相違する。
＜一致点＞
　複数の棚部からそれぞれ折込用広告紙を給紙して前記複数枚の折込用広告紙を親紙で挟み込んで折込用広告束を作成する丁合機本体の排出口に接続され，
　前記排出口から排出された前記折込用広告束を積み上げる積上部と，
　複数の前記折込用広告束をその積み上げ方向と交差する第１の方向に移動させて前記積上部から搬出する搬送機構とを備えたことを特徴とする折込用広告束搬送装置。
＜相違点１＞
　本件訂正特許発明１の「折込用広告束紙揃え搬送装置」が，「前記積上部に積上げられた複数の前記折込用広告束の前記第１の方向に沿った第１の側面を叩いて紙揃えする叩き板，および前記折込用広告束の前記第１の側面と反対の第２の側面に対向した側壁を有する紙揃え機構と，
　前記積上部に積上げた複数の前記折込用広告束を前記搬送機構により前記積上部から搬出する際に，前記叩き板を前記積上部から退避させた位置に停止させる手段と，前記積上部，前記搬送機構，及び前記紙揃え機構を支持する基台と」を備えるのに対して，甲１−１発明の「搬送昇降装置５９」は，そのように特定されない点
　イ　相違点１について
　（ア）甲１−１発明の「搬送昇降装置」では，「折込みちらしセット５」が「搬送ベルト２４で運ばれて，排紙ガイド６ａの引き上げ装置５９ａを内蔵した踏箱６０が設けられたベルトコンベヤー６１に排紙ガイド６ａに案内されながら放り込まれるように排出されて踏箱６０に当たってベルトコンベヤー６１上に積み重ねられ」るものである。
　ところで，甲２号証には，上記１（２）ア及びイの記載があるところ，当該記載によれば，甲１−１発明のように，「丁合された折り込みちらしの束」からなる「折込みちらしセット」を排紙ガイド６ａに案内されながら放り込まれるように踏箱６０に当たるように排出した場合においては，「ちらし」の「先端部」が前後にずれる不揃いを引き起こすことが理解できることから，原出願日前において，このような課題は当業者にとって周知の技術水準であるといえる。
　してみると，原出願日前の当業者は，甲１−１発明の「搬送昇降装置」が備える「ベルトコンベアー６１」に「折込みちらしセット５」を積み重ねるに際しては，ちらしの先端部が前後にずれる不揃いを引き起こすものであるという課題を認識し，当該課題を解決することを指向すべきものといえる。
　（イ）そして，甲１−１発明における積み重ねられる「折り込みちらしセット５」のような複数枚の紙の先端部の不揃いを揃えるようにする手段として，例えば，甲３号証及び甲４号証には「シート揃え板の押し引き動作によって，前当板に当たって横出しコンベヤ上に落下するシートを揃えるもの」が記載されており，甲６号証には，「コンベヤーから給紙された紙を受け止める当板（１３）（１４）に対向する紙揃え板によって各々の当板の方向に紙が寄せられることで隠しが揃えながらつみ重ねられるようにした」ものが記載されており，さらに，甲７号証においても「排出された新聞ａを受け止める当板５ａに対向する振動板６ｃにより揃えて積み重ねるようにした」ものが，さらに甲８号証には「第２ガイド部材と対向する第２ガイド部材に対して進退可能とした第１ガイド部材とにより紙を揃えるようにしたもの」が記載されているように，本件訂正特許発明１のように「積上げられた複数」の「紙などの板状」のものを「第１の側面を叩いて紙揃えする叩き板，および第１の側面と反対の第２の側面に対向した側壁を有する紙揃え機構」は，原出願日前に従来周知の「紙揃え機構」であったといえる。
　（ウ）また，甲３及び甲４号証に記載のものは，ベルトコンベヤにより搬送される方向に対して，搬送される方向に沿った側面に「前当板」及び「シート揃え板」を配置することは，搬送の邪魔にならないようにするために当然考慮される配置であるし，甲１−１発明の「搬送昇降装置」が備える「ベルトコンベアー６１」においては，「折込みちらしセット５」が排出された際には，「踏箱」に当たって積み重ねられるのであるから，甲１−１発明に「周知の紙揃え機構」を適用するに当たっては，当該「踏箱」と対面するように「叩き板」を配置するよう構成されることは，技術的にみて明らかであるといえる。
　（エ）以上のとおりであるから，甲１−１発明に，周知の「紙揃え機構」を適用することにより，本件訂正特許発明１の「前記積上部に積上げられた複数の前記折込用広告束の前記第１の方向に沿った第１の側面を叩いて紙揃えする叩き板，および前記折込用広告束の前記第１の側面と反対の第２の側面に対向した側壁を有する紙揃え機構」を備えるようにすることは，当業者が適宜なし得る程度のことというべきである。
　（オ）また，甲１−１発明においては，「複数の前記折込みちらしセットをその積み上げ方向と交差する第１の方向に移動させて渡受け部６２に搬出するベルトコンベヤー６１」によって，折込みちらしセットを排出するものであり，上記のとおり「第１の方向に沿った第１の側面を叩いて紙揃えする叩き板」を採用する場合，排出時には，もはや，この叩き板を作動させる必要はなく，叩き板の作動を休止させることは当然に考慮されることというべきである。
　そして，叩き板の作動を休止させる場合，叩き板が，前進，後退を繰り返すものであるなら，第１の方向に搬送させる際に搬送の支障とならない後退位置において休止させることも，当業者が普通に採用するものといえる。
　ａ　なお，上記周知例である甲３号証には，「所定の積み上げ枚数に達した横出しコンベヤ（７）上のシート（１１）を搬送するとき，シート揃え板（８）をシート（１１）に接触しない位置に保持する」（甲４号証にも同旨の記載がある。），甲５号証には，「該押板装置の駆動は例えば昇降コンベア１の搬送終端部にリミットスイッチを設けて板状物の後端が通過したのを検知し，各々のシリンダ３，１１及び１１’を作動する様に作られる。」と記載されており，甲５号証の第２図の記載と合わせると，押板装置は，キャタピラコンベア６上の板状物４が搬出される際に，後退位置にあることは明らかといえる。
　ｂ　さらに，甲９号証には，「最後のシートがスタックに供給された後，往復バーは，シートまたはプランクのスタックの末端からかなりの距離を置いて配置され（図３参照），これにより，スタックは，バーが，シートの後端面に押し付けられるか，または，そこからわずかな距離しか空けられていない場合に経験される，干渉を排除して，蓄積テーブルから除去され得る」ことが，甲１０号証には，「スタックが，所定の高さに到達すると，ゲート１２は，閉鎖され，シートのコンベア１３への更なる排出が停止し，その後直ちに，ローラー１８が，駆動させられ，同時に，エアシリンダ７６が，止め板７１を，図２に示される後退位置に後退させるようにセットされて，止め板は，シートのスタックの先端Ｌから完全に間隔を空けられる。」と記載され，甲１１号証には，「突き当てパッド１６Ｂ，プッシャ１６Ｃ，１６Ｄ，１６Ｅは，通常は，平版印刷版束Ｐの通過に支承がないように上昇した状態にあり，平版印刷版束Ｐの寸法ずれを修正するときだけ，ローラコンベア１６Ａ上に下降する。」と記載されているように，叩き板の作動を休止させる場合に揃える対象の搬出を妨げることを防止するため，また，叩きのタイミングを調整するため，叩き板を後退位置において休止させることは，周知の技術であるといえる。
　ｃ　してみると，甲１−１発明において，周知の紙揃え機構を適用するにあたっては，甲１−１発明が「ベルトコンベヤー６１」上に「折り込み用広告束」を積み上げて，搬送するものである以上，「前記積上部に積上げた複数の前記折込用広告束を前記搬送機構により前記積上部から搬出する際に，前記叩き板を前記積上部から退避させた位置に停止させる」ものとすることは当然考慮すべき設計要素であるといえるし，仮にそうでないとしても，「叩き板の作動を休止させる場合に揃える対象の搬出を妨げることを防止するため，また，叩きのタイミングを調整するため，叩き板を後退位置において休止させる」ことが周知の技術であることに照らせば，当業者が容易に想到し得るものというべきである。
　（カ）つぎに，上記相違点に係る「積上部，搬送機構及び紙揃え機構を支持する基台」について検討する。
　甲１−１発明では，「折込みちらしセット５」がベルトコンベヤー６１に積み上げられるに際して当たる「踏箱６０」は，ベルトコンベヤー６１に設けられているが，この「踏箱６０」は，床に設置して使用されるものである。
　してみると，上記（ア）ないし（オ）で検討したように，甲１−１発明の踏箱に当たりベルトコンベアー上に放り込まれるように排出される折込みちらしセットを揃えるために，「周知の紙揃え機構」を適用したとしても，ベルトコンベアー，紙揃え機構の一部を構成する「踏箱」とを支持するような基台を備える構成とはならない。
　また，当該「踏箱」が床に設置して使用されるものである以上，そのような「踏箱」を基台を設ける動機付けも見出せない。
　また，甲３号証ないし甲１１号証には，「積上部，搬送機構及び紙揃え機構を支持する基台」については記載も示唆もない。　
　さらに，異議申立人が令和３年３月１１日付けの意見書と共に提出した甲１２号証ないし甲１４号証をみても，そこに記載されているものは，「積上部，搬送機構を支持する基台」であって，「積上部，搬送機構及び紙揃え機構を支持する基台」が記載されているものではないし，そもそも，甲１−１発明の「踏箱」を基台に設置することが容易に想到し得ない以上，甲１２号証ないし甲１４号証に基づいて，当該構成が容易に想到し得るということもできない。
　してみると，甲１−１発明において，「前記積上部に積上げられた複数の前記折込用広告束の前記第１の方向に沿った第１の側面を叩いて紙揃えする叩き板，および前記折込用広告束の前記第１の側面と反対の第２の側面に対向した側壁を有する紙揃え機構と，前記積上部に積上げた複数の前記折込用広告束を前記搬送機構により前記積上部から搬出する際に，前記叩き板を前記積上部から退避させた位置に停止させる手段とを備えることが適宜なし得る程度のことといえるとしても，さらに，「折込用広告束紙揃え搬送装置」において，それら「積上部，搬送機構及び紙揃え機構を支持する基台」を備えるようにすることを当業者が容易に想到し得るものということはできない。
　（キ）異議申立人の主張について
　ａ　異議申立人は，「甲１号証の段落【００４３】によれば，搬送昇降装置５９は，排紙ガイド６ａの引き上げ装置５９ａを内蔵した踏箱６０が設けられたベルトコンベヤー６１を有するものであり，ベルトコンベヤー６１が，プーリー，モータ等，ベルトを駆動するための部材を有するものであり，プーリー，モータ等は，取付用の部材に取り付けられて使用されることは，当業者に周知であるから，甲１号証には図示されていないものの，甲１号証の図１１に記載の搬送昇降装置５９は，ベルトコンベヤー６１の取付用の部材，すなわち基台が開示されているに等しい。　そして，甲１号証に記載の搬送昇降装置５９に「紙揃え機構」を備えようとする場合，甲１号証に記載の搬送装置５９が丁合機１に付設されるものであることからすると，搬送昇降装置５９側に「紙揃え機構」を取り付けることは当業者であれば容易に選択し得る」と主張している。
　しかしながら，上記（カ）において検討したとおり，甲１−１発明においては「踏箱６０」が，床に設置して使用されるものであるから，異議申立人のいうように，甲１−１発明がベルトコンベヤー６１の取付用の基台を備えるものであったとしても，当該基台に踏箱を設置することとはならないのであるから，異議申立人の主張は採用することができない。
　ｂ　異議申立人は，甲１２号証の図１，甲１３号証の図１及び甲１４号証のベルトコンベヤーが基台に取付けられている構成は周知である旨主張しているが，上記（カ）で検討したとおり，これらに記載のものは，「積上部，搬送機構を支持する基台」にとどまるのであるから，これらの記載から，「積上部，搬送機構及び紙揃え機構を支持する基台」が周知であるとはいえないし，甲１−１発明の踏箱が床に設置されるものである以上，それをベルトコンベヤーの基台に備えるようにすることには動機付けが見出せないことも上記のとおりである。
　ｃ　異議申立人は，意見書とともに甲１５号証の１ないし６を提出しているが，甲１５号証の１ないし６は，異議申立期間後に提出されたものであり，また，当該甲１５号証の１の頒布日については，甲１５号証の２ないし６によって直ちにあきらかであるといえないことから，本件特許異議申立事件の審理において採用することは相当でない。
　（ク）以上のとおりであるから，上記相違点１は，甲１−１発明に，甲３ないし甲１１号証に記載の周知技術を適用することにより当業者が容易に想到し得るものということはできない。
　また，異議申立人が令和３年３月１１日付けの意見書とともに提出した甲１２ないし１４号証を考慮したとしても，同様である。
　エ　小括
　上記のとおりであって，本件訂正特許発明１は，甲１−１発明及び甲３ないし甲１４号証に記載の周知技術によっては，当業者が容易に発明をすることができたものであるとはいえないから，異議申立人の主張する理由（取消理由で通知した理由）によっては，本件請求項１に係る特許は，特許法第２９条の規定に違反してされたものとはいえず，同法第１１３条第２号に該当し取り消されるべきものということはできない。
　（２）本件訂正特許発明２について
　ア　本件訂正特許発明２と甲１−２発明との対比
　本件訂正特許発明２と甲１−２発明とを対比する。
　（ア）甲１−２発明の「「上下複数段の給紙棚７ａ−７ｋ及び給紙棚８ａ−８ｋ」，「折込みちらしＳ」，「折り紙Ｇ」，「二つ折り状態になった折り紙Ｇ」に「束になった折り込みちらしＳが折り込まれ」た「折り込みちらしセット５」，「管理モニター付き丁合機１」は，それぞれ，本件訂正特許発明２の「複数の棚部」，「折込用広告紙」，「親紙」，「複数枚の折込用広告紙を親紙で挟み込ん」だ「折り込み用広告束」，「丁合機本体」に相当する。
　（イ）甲１−２発明においては，「給紙棚７ａ−７ｋ，８ａ−８ｋに積載された折込みちらしＳは，搬送経路に案内され，搬送経路に案内された折込みちらしＳは，縦送り装置を構成する縦搬送ローラ１６，１７を介して下方に送られて最下段のシート折り部１８に至り，折り紙用給紙棚７から給送されて折りボックス１９ａに至った折り紙Ｇは，上下動する折込み用ナイフ１９により中央部が下方に撓むように折られ，二つ折り状態になった折り紙Ｇには，束になった折込みちらしＳが折り込まれて折りローラ２０，２１により挟み込まれ，折りローラ２０，２１に挟み込まれた折込みちらしセット５は，駆動ローラ２２，２３により駆動される搬送ベルト２４で運ばれて，排紙ガイド６ａの引き上げ装置５９ａを内蔵した踏箱６０が設けられたベルトコンベヤー６１に排紙ガイド６ａに案内されながら放り込まれるように排出されて踏箱６０に当たってベルトコンベヤー６１上に積み重ねられ」るものであるところ，甲１−２発明は，「複数の」「給紙棚」に積載された「折り込みちらしＳ」がそれぞれ縦送り装置に給紙されて，「複数枚の折込用広告紙を親紙で挟み込ん」だ「折り込み用広告束」を作成するものといえるから，本件訂正特許発明２と甲１−２発明とは，「折込み広告を載せる複数の棚部」と，「前記棚部のそれぞれから折込用広告紙を給紙する給紙機構」と「複数の棚部から給紙された複数枚の折込用広告紙を親紙で挟み込んで折込用広告束を作成する挟み機構」と，「折込用広告束を排出する排出口」とを備える「丁合機本体」である点においても相当するものといえる。
　（ウ）甲１−２発明の「排紙ガイド６ａの引き上げ装置５９ａを内蔵した踏箱６０が設けられたベルトコンベヤー６１」には，「折込みちらしセット５」が「搬送ベルト２４で運ばれて，排紙ガイド６ａの引き上げ装置５９ａを内蔵した踏箱６０が設けられたベルトコンベヤー６１に排紙ガイド６ａに案内されながら放り込まれるように排出されて踏箱６０に当たってベルトコンベヤー６１上に積み重ねられ」るのであるから，甲１−２発明の「排紙ガイド６ａの引き上げ装置５９ａを内蔵した踏箱６０が設けられたベルトコンベヤー６１」は，本件訂正特許発明２の「折込用広告束を排出する」「排出口に対向して設けられ，前記排出口から排出された」「折り込み用広告束を積み上げる積上部」に相当する。
　（エ）また，甲１−２発明の「ベルトコンベヤー６１」は，「ベルトコンベヤー６１上に積み重ねられた折込みちらしセット５の積載高さが所定になると，ホッパー満載スイッチ６６が紙受部満載として検知し，丁合機１の丁合動作を停止し，搬送昇降装置５９の渡受け部６２に運び渡されて紙受台６５上に置かれる」よう構成されているから，本件訂正特許発明２の「複数の前記折込用広告束をその積み上げ方向と交差する第１の方向に移動させて前記積上部から搬出する搬送機構」である点においても相当するものといえる。
　（オ）そして，本件訂正特許発明２の「折込用広告束紙揃え搬送装置付き丁合機」と甲１−２発明とは，「折込用広告束」の「積上部」と「搬送機構」を備えるものである点で作用機能が共通するものであるから，両者は，「折込用広告束搬送装置付き丁合機」と言い得る点で共通するものといえる。
　（カ）以上のことからすると，本件訂正特許発明２と甲１−２発明とはつぎの一致点で一致し，各相違点で相違する。
＜一致点＞
　「折込用広告紙を載せる複数の棚部と，
　前記棚部のそれぞれから折込用広告紙を給紙する給紙機構と，
　前記複数の棚部から給紙された複数枚の折込用広告紙を親紙で挟み込んで折込用広告束を作成する挟み機構と，
　前記折込用広告束を排出する排出口とを備えた丁合機本体と
　前記排出口に対向して設けられ，前記排出口から排出された折込用広告束を積み上げる積上部と，
　複数の前記折込用広告束をその積み上げ方向と交差する第１の方向に移動させて前記積上部から搬出する搬送機構と，
　を備えたことを特徴とする折込用広告束紙搬送装置付き丁合機。」
＜相違点２＞
　本件訂正特許発明２が「折込用広告束紙搬送装置付き丁合機」であって「前記積上部に積上げられた複数の前記折込用広告束の前記第１の方向に沿った第１の側面を叩いて紙揃えする叩き板，および前記折込用広告束の前記第１の側面と反対の第２の側面に対向した側壁を有する紙揃え機構と，前記積上部に積上げた複数の前記折込用広告束を前記搬送機構により前記積上部から搬出する際に，前記叩き板を前記積上部から退避させた位置に停止させる手段と，前記積上部，前記搬送機構，及び前記紙揃え機構を支持する基台」を備えるのに対して，甲１−２発明は，そのように特定されない点。
　イ　相違点２について
　相違点２は，実質的に上記（１）ア（キ）の相違点１と同じであるから，同イにおいて検討したとおり，甲１−２発明に，甲３ないし甲１１号証に記載の周知技術を適用することにより当業者が容易に想到し得るものということはできない。
　また，異議申立人が令和３年３月１１日付けの意見書とともに提出した甲１２ないし１４号証を考慮したとしても，同様である。
　ウ　小括
　上記のとおりであって，本件訂正特許発明２は，甲１−２発明及び甲３ないし甲１４号証に記載の周知技術に基づいて当業者が容易に発明をすることができたものであるとはいえないから，異議申立人の主張する理由（取消理由で通知した理由）によっては，本件請求項２に係る特許は，特許法第２９条の規定に違反してされたものとはいえず，同法第１１３条第２号に該当し取り消されるべきものということはできない。
第６　まとめ
　以上検討したとおりであるから，本件訂正特許発明１及び本件訂正特許発明２は，異議申立人の主張する理由及び証拠方法（取消理由（決定の予告））によっては，特許法第２９条第２項の規定により特許を受けることができないものとはいえないから，本件特許の請求項１及び請求項２に係る特許は特許法第２９条の規定に違反してされたものとはいえず，同法第１１３条第２号に該当し取り消されるべきものであるということはできない。
　よって，上記結論のとおり，決定する。
【異議決定日】
令和３年６月８日（２０２１．６．８）
【訂正の要旨】
審決（決定）の【理由】欄参照。
（５７）【特許請求の範囲】
　【請求項１】
　複数の棚部からそれぞれ折込用広告紙を給紙して前記複数枚の折込用広告紙を親紙で挟み込んで折込用広告束を作成する丁合機
本体
　複数の前記折込用広告束をその積み上げ方向と交差する第１の方向に移動させて前記積上部から搬出する搬送機構と、
　前記積上部に積上げられた複数の前記折込用広告束の前記第１の方向に沿った第１の側面を叩いて紙揃えする叩き板、および前記折込用広告束の前記第１の側面と反対の第２の側面に対向した側壁を有する紙揃え機構と、
　前記積上部に積上げた複数の前記折込用広告束を前記搬送機構により前記積上部から搬出する際に、前記叩き板を前記積上部から退避させた位置に停止させる手段と、
　
前記積上部、前記搬送機構、及び前記紙揃え機構を支持する基台と、
　【請求項２】
　折込用広告紙を載せる複数の棚部と、
　前記棚部のそれぞれから折込用広告紙を給紙する給紙機構と、
　前記複数の棚部から給紙された複数枚の折込用広告紙を親紙で挟み込んで折込用広告束を作成する挟み機構と、
　
前記折込用広告束を排出する排出口と、を備えた丁合機本体と、
　前
記排
　複数の前記折込用広告束をその積み上げ方向と交差する第１の方向に移動させて前記積上部から搬出する搬送機構と、
　前記積上部に積上げられた複数の前記折込用広告束の前記第１の方向に沿った第１の側面を叩いて紙揃えする叩き板、および前記折込用広告束の前記第１の側面と反対の第２の側面に対向した側壁を有する紙揃え機構と、
　前記積上部に積上げた複数の前記折込用広告束を前記搬送機構により前記積上部から搬出する際に、前記叩き板を前記積上部から退避させた位置に停止させる手段と、
　
前記積上部、前記搬送機構、及び前記紙揃え機構を支持する基台と、を備えた折込用広告束紙揃え搬送装置と、
　を備えたことを特徴とする折込用広告束紙揃え搬送装置付き丁合機。